(57)【要約】  本発明は、ランプ用の変換回路を提供する。変換回路は、安定器からの第１の信号を照明装置のための第２の信号に変換する。変換回路は、第１の信号から第２の信号への所望の変換に寄与する特性を有する変圧器を備える。第１の巻線及び第２の巻線で形成された変圧器は、第２の巻線に接続された補助装置用の絶縁された電源を更に提供する。
2020523747.tif 000002
【特許請求の範囲】
【請求項１】
蛍光灯安定器からの第１の信号をランプの管状ＬＥＤ装置のための第２の信号に変換するための変換回路であって、前記管状ＬＥＤ装置が、光を出力するように適合されており、前記変換回路は、
前記蛍光灯安定器から前記第１の信号を受信するための入力部と、
前記管状ＬＥＤ装置に前記第２の信号を出力するための出力部と、
前記入力部と前記出力部との間に接続されたインダクタ装置であって、第１の巻線及び第２の巻線で形成されており、前記第２の巻線が、前記第１の巻線に磁気的に結合され、前記入力部と前記出力部の両方からガルバニック絶縁されている、インダクタ装置と、を備え、
前記第１の巻線及び前記第２の巻線は、前記ランプの補助装置用の絶縁された電源を提供するための変圧器を共に形成しており、前記変圧器の漏れインダクタンス又は磁化インダクタンスの少なくとも一方が、前記第１の信号から前記第２の信号への所望の変換に寄与する、変換回路。
【請求項２】
前記変換回路は、インピーダンス整合回路であり、前記変圧器の前記漏れインダクタンス及び前記磁化インダクタンスの少なくとも一方が、前記インピーダンス整合回路のインピーダンス整合に寄与する、請求項１に記載の変換回路。
【請求項３】
前記変換回路は、スイッチモード電源であり、前記第１の巻線は、前記スイッチモード電源のエネルギー蓄積インダクタを形成する、請求項１に記載の変換回路。
【請求項４】
前記入力部と前記出力部との間に接続された少なくとも１つのコンデンサ装置を更に備える、請求項１乃至３のいずれか一項に記載の変換回路。
【請求項５】
前記入力部は、前記第１の信号を受信するための二端子入力部を備え、前記二端子入力部は、第１の入力端子及び第２の入力端子を備え、
前記出力部は、前記第２の信号を供給するための二端子出力部を備え、前記二端子出力部は、第１の出力端子及び第２の出力端子を備える、請求項１乃至４のいずれか一項に記載の変換回路。
【請求項６】
前記インダクタ装置は、
前記第１の入力端子と前記第１の出力端子、
前記第２の入力端子と前記第２の出力端子、
前記第１の入力端子と前記第２の入力端子、又は
前記第１の出力端子と前記第２の出力端子のうちのいずれか１つの間に接続されている、請求項５に記載の変換回路。
【請求項７】
前記第２の巻線は、前記入力部と前記出力部の両方からガルバニック絶縁されている、請求項１乃至６のいずれか一項に記載の変換回路。
【請求項８】
請求項１乃至７のいずれか一項に記載の変換回路と、
前記変換回路の前記出力部に結合された管状ＬＥＤ装置と
を備えるランプ。
【請求項９】
前記第２の巻線から電力を引き出すように適合された補助装置を更に備え、前記補助装置は、前記変換回路からガルバニック絶縁されている、請求項８に記載のランプ。
【請求項１０】
前記補助装置は、エネルギー蓄積装置を備え、前記第２の巻線によって供給される電力が、前記エネルギー蓄積装置を充電する、請求項９に記載のランプ。
【請求項１１】
前記エネルギー蓄積装置は、前記管状ＬＥＤ装置に補助電源を提供するように適合されている、請求項１０に記載のランプ。
【請求項１２】
前記管状ＬＥＤ装置は、整流器と、ＬＥＤドライバと、ストリング内に配置された少なくとも１つのＬＥＤと、を備える、請求項８乃至１１のいずれか一項に記載のランプ。
【請求項１３】
前記変換回路の前記入力部を前記蛍光灯安定器に接続するためのフィラメントエミュレーションユニットを更に備える、請求項８乃至１２のいずれか一項に記載のランプ。
【請求項１４】
蛍光灯安定器と、
請求項８乃至１３のいずれか一項に記載のランプと
を備える照明装置。
【請求項１５】
蛍光灯安定器からの第１の信号をランプの管状ＬＥＤ装置のための第２の信号に変換するための方法であって、前記管状ＬＥＤ装置が、光を出力するように適合されており、前記方法は、
前記蛍光灯安定器からの前記第１の信号を入力部にて受信するステップと、
前記入力部と出力部との間に接続された少なくともインダクタ装置を使用して、前記第１の信号を前記第２の信号に変換するステップであって、前記インダクタ装置が、第１の巻線と、前記第１の巻線に磁気的に結合される第２の巻線と、で形成されている、ステップと、
前記管状ＬＥＤ装置に前記第２の信号を前記出力部にて出力するステップと、
前記ランプの補助装置用の絶縁された電源を提供するステップであって、前記第１の巻線及び前記第２の巻線が、前記絶縁された電源を提供するための変圧器を共に形成しており、前記変圧器の漏れインダクタンス又は磁化インダクタンスの少なくとも一方が、前記第１の信号から前記第２の信号への所望の変換に寄与する、ステップと
を含む方法。
【発明の詳細な説明】
【技術分野】
【０００１】
本発明は、ランプ用の変換回路、特にインダクタ装置を備える変換回路に関する。
【背景技術】
【０００２】
固体照明（solid state lighting；ＳＳＬ）は、多くの照明用途において急速に標準になりつつある。これは、発光ダイオード（light emitting diode；ＬＥＤ）などのＳＳＬ要素が、制御可能な光出力色、強度、ビーム広がり、及び／又は照明方向を可能にするだけでなく、優れた寿命及びエネルギー消費を示すこともできるためである。
【０００３】
管状照明デバイスは、オフィス照明、小売環境、廊下、ホテルなどの商業用照明用途で広く使用されている。従来の管状ライト取付具は、管状ライトの両端にある接続ピンへの機械的及び電気的接続を行うためのソケットコネクタを両端に有する。従来の管状ライトは、蛍光灯管の形態である。蛍光灯管ランプ用の電子安定器を装備したライト取付具の大規模設置ベースが存在する。照明装置は、電子安定器と、それに接続された発光装置（例えば、ランプ又は照明デバイス）との組み合わせとみなされる。
【０００４】
従来の蛍光灯管の直接的な代替品として使用できる管状ＬＥＤ（「tubular LED；ＴＬＥＤ」）ランプが存在する。このやり方では、既存のライト取付具を変更する費用をかけずに、固体照明の利点を得ることができる。実際に、蛍光灯ランプの安定器に適合するＴＬＥＤは、ＬＥＤ照明によって蛍光照明を置き換えるのに最も簡単かつ最も低コストな方法である。ライト取付具の全体を再配線し（安定器を除去し、ＴＬＥＤをＡＣ電源に直接接続し）、置き換えることは、はるかに煩雑かつ高価となる。電磁（electromagnetic；ＥＭ）安定器と電子高周波（high frequency；ＨＦ）安定器の両方が、蛍光照明に使用される。
【発明の概要】
【発明が解決しようとする課題】
【０００５】
典型的に、安定器又はそれに接続されたＴＬＥＤには、電源絶縁が存在しない。その結果、安定器に接続されたＴＬＥＤの内部に、通常の使用において感電を引き起こし得る導電性部品である帯電部が存在する。それゆえ、ＴＬＥＤの内部にある電子機器の全てが、電気的に安全でない高電圧電子機器として取り扱われなければならない。したがって、既知のＴＬＥＤの内部にある電子機器への直接的かつ電気的に安全な電圧接続を行うことができない。
【課題を解決するための手段】
【０００６】
本発明は、請求項によって定義される。
【０００７】
本発明の一態様の例によれば、蛍光灯安定器からの第１の信号をランプの管状ＬＥＤ装置のための第２の信号に変換するための変換回路であって、管状ＬＥＤ装置が、光を出力するように適合されており、変換回路は、蛍光灯安定器から第１の信号を受信するための入力部と、管状ＬＥＤ装置に第２の信号を出力するための出力部と、入力部と出力部との間に接続されたインダクタ装置であって、第１の巻線及び第２の巻線で形成されており、第２の巻線が、第１の巻線に磁気的に結合される、インダクタ装置と、を備え、第１及び第２の巻線は、ランプの補助装置用の絶縁された電源を提供するための変圧器を共に形成しており、変圧器の漏れインダクタンス又は磁化インダクタンスの少なくとも一方が、第１の信号を第２の信号への所望の変換に寄与する、変換回路が提供される。
【０００８】
第１及び第２の巻線は、補助装置用の変圧器として共に作用する。特に、変圧器は、電気的／ガルバニック絶縁されたままで、補助装置が蛍光灯安定器によって給電されることを可能にする。これにより、補助装置は、ランプ用の変換回路への電気的に安全な接続によって給電され得る。
【０００９】
第１の巻線は、変換回路用のインダクタと、補助装置用の変圧器の一部との両方として作用する。それゆえ、ランプの変換回路のインダクタが、補助装置用の絶縁された電源での使用に充当され得る。このことは、変換回路の既存のインダクタが補助装置に電力を供給するために利用され得るので、変換回路を含むランプのサイズ及び複雑さを低減させる。その上、ランプ内の巻線の総数が低減されるので、ランプの重量が大幅に低減され得る。
【００１０】
変換回路は、例えば、フィルタ、インピーダンス整合回路、スイッチモード電源などを備えてもよく、又はこれらからなってもよい。概して、インダクタを備え、少なくともインダクタを使用して信号を変換する、ランプのいかなる回路も、本明細書の意図する変換回路とみなされる。
【００１１】
本発明は、ランプ用の変換回路の既存のインダクタを変圧器用の巻線として使用することに依拠する。変圧器は、ランプの補助装置に電力を供給する。補助装置は、例えば、ランプ用の通信モジュール、ランプ用の予備電池、センサ、ランプコントローラなどを備えてもよい。
【００１２】
これにより、補助装置は、ランプの本体の外部にある追加の区画に配置されてもよい。それゆえ、ランプによって占められる空間は、大幅に低減され得る。このことは、例えば、既存のトロファ、凹部、又はライト取付具内へのランプの「後付け」を可能にするために必要となる場合がある。
【００１３】
いくつかの実施形態では、変換回路は、インピーダンス整合回路であり、第１及び第２の巻線から形成された変圧器の漏れ又は磁化インダクタンスの少なくとも一方が、インピーダンス整合回路のインピーダンス整合に寄与する。
【００１４】
変圧器の漏れインダクタンスは、インピーダンス整合回路内の直列インダクタンスとして作用し得る。変圧器を形成するインダクタの磁化インダクタンスは、インピーダンス整合回路内の並列インダクタンスとして作用し得る。変圧器は、高周波安定器からの絶縁を補助装置にもたらし続ける。
【００１５】
他の実施形態では、変換回路は、スイッチモード電源であり、第１の巻線は、スイッチモード電源のエネルギー貯蔵インダクタを形成する。
【００１６】
バック、ブースト、又はバック−ブーストコンバータなどのスイッチモード電源内のインダクタの使用は、当業者にとって周知である。本発明は、そのようなインダクタの存在を利用して、ランプの補助装置用の絶縁された電源を提供する。それゆえ、既存のインダクタが、変圧器の巻線として別の目的に再利用される。
【００１７】
オプションとして、変換回路は、入力部と出力部との間に接続されたコンデンサ装置を備える。コンデンサ装置は有利には、更なるフィルタリング、インピーダンス整合、又はエネルギー貯蔵の能力を変換回路にもたらし得る。
【００１８】
少なくとも１つの実施形態では、変換回路は、入力部が、第１の信号を受信するための二端子入力部を備え、二端子入力部が、第１の入力端子及び第２の入力端子を備え、出力部が、第２の信号を供給するための二端子出力部を備え、二端子出力部が、第１の出力端子及び第２の出力端子を備えるように、適合される。
【００１９】
オプションとして、インダクタ装置は、第１の入力端子と第１の出力端子、第２の入力端子と第２の出力端子、第１の入力端子と第２の入力端子、又は第１の出力端子と第２の出力端子のうちのいずれか１つの間に接続される。
【００２０】
インダクタは、入力部と出力部との間に直列に接続されてもよい。他の実施形態では、インダクタは、入力部と出力部との間に並列配置で接続されてもよい。入力部と出力部との間のインダクタ装置の接続は、インダクタ装置が、入力部の任意の端子と出力部の任意の端子との間の経路の一部を形成することを示す。例えば、２つの入力端子間にインダクタ装置を接続することは、１つの入力端子から別の入力端子への経路を提供し、その後に出力端子への経路を提供する。
【００２１】
少なくとも１つの実施形態では、第２の巻線は、入力部と出力部の両方からガルバニック絶縁される。
【００２２】
それゆえ、変換回路が使用されるときに、第２の巻線は、安定器と管状ＬＥＤ装置の両方からガルバニック絶縁され得る。このようにして、補助装置は、有利には、安定器から電力を引き出しながらも、安定器と管状ＬＥＤ装置の両方からガルバニック絶縁され得る。このことは、管状ＬＥＤ装置の動作を制限することなく、第２の巻線及び補助装置が、（例えば、安定器によって供給される）電気的に安全でない電圧から絶縁されることを可能にする。
【００２３】
本発明概念の一態様によれば、前述の変換回路と、変換回路の出力部に結合された管状ＬＥＤ装置と、を備えるランプが提案される。
【００２４】
ランプは、第２の巻線から電力を引き出すように適合された補助装置を更に備えてもよく、補助装置は、変換回路からガルバニック絶縁される。
【００２５】
簡潔に示されるように、補助装置は、ランプ用の通信モジュール、ランプ用の予備電池又はエネルギー貯蔵装置、センサ、ランプコントローラなどを備えてもよい。
【００２６】
補助装置は、エネルギー貯蔵装置を備えてもよく、第２の巻線によって供給される電力が、エネルギー貯蔵装置を充電する。いくつかの実施形態では、エネルギー貯蔵装置は、管状ＬＥＤ装置に補助電源を提供するように適合される。
【００２７】
管状ＬＥＤ装置は、オプションとして、整流器と、ＬＥＤドライバと、ストリング内に配置された少なくとも１つのＬＥＤと、を備える。
【００２８】
ランプは、変換回路の入力部を蛍光灯安定器に接続するためのフィラメントエミュレーションユニットを更に備えてもよい。
【００２９】
蛍光灯安定器と、前述のランプと、を備える照明装置も提供される。
【００３０】
本発明概念の別の態様によれば、蛍光灯安定器からの第１の信号をランプの管状ＬＥＤ装置のための第２の信号に変換するための方法であって、管状ＬＥＤ装置が、光を出力するように適合されており、方法は、蛍光灯安定器からの第１の信号を入力部にて受信するステップと、入力部と出力部との間に接続された少なくともインダクタ装置を使用して、第１の信号を第２の信号に変換するステップであって、インダクタ装置が、第１の巻線と、第１の巻線に磁気的に結合される第２の巻線と、で形成されている、ステップと、第２の信号を管状ＬＥＤ装置に出力部にて出力するステップと、ランプの補助装置用の絶縁された電源を提供するステップであって、第１及び第２の巻線が、絶縁された電源を提供するための変圧器を共に形成しており、変圧器の漏れインダクタンス又は磁化インダクタンスの少なくとも一方が、第１の信号を第２の信号への所望の変換に寄与する、ステップと、を含む方法も提供される。
【図面の簡単な説明】
【００３１】
ここで、本発明の実施例が、添付図面を参照して詳細に説明される。
【図１】既知の実施形態による照明装置を示す。
【図２】既知の実施形態による照明装置を示す。
【図３】第１の実施形態による変換回路を備えるランプを示す。
【図４】第１の実施形態による変換回路用の変圧器を示す。
【図５】第２の実施形態による変換回路を備えるランプを示す。
【図６】第２の実施形態による変換回路用の変圧器を示す。
【図７】別の実施形態による変換回路用の変圧器を示す。
【図８】第３の実施形態による変換回路を備える照明装置を示す。
【図９】第４の実施形態による変換回路を備える照明装置を示す。
【図１０】一実施形態による方法を示すフローチャートである。
【発明を実施するための形態】
【００３２】
本発明は、ランプ用の変換回路を提供する。変換回路は、安定器からの第１の信号を照明装置のための第２の信号に変換する。変換回路は、第１の信号を第２の信号への所望の変換に寄与する特性を有する変圧器を備える。第１の巻線及び第２の巻線で形成された変圧器は、第２の巻線に接続された補助装置用の絶縁された電源を更に提供する。
【００３３】
本発明の概念によれば、第１の巻線と、第１の巻線に磁気的に結合される第２の巻線と、を有する変換回路が提案される。第１及び第２の巻線によって形成された変圧器は、第１の信号を第２の信号に変換するのに寄与する磁化／漏れインダクタンスを有するように設計される。第２の巻線は、絶縁されたランプの補助装置に電源を提供する。このことは、ランプのサイズを最小限にすることを可能にする。
【００３４】
実施形態は、変換回路のインダクタが、絶縁された電源を補助装置に提供するように適合され得ることと、変圧器の特性が、変圧器の漏れ／磁化インダクタンスが第１の信号の所望の変換に寄与するように設計され得ることと、の実現に少なくとも部分的に基づく。特に、変圧器の漏れ及び／又は磁化インダクタンスが、変圧器の適切な設計によって、変換回路のインダクタ装置に取って代わり得るか、又はインダクタ装置として作用し得る。
【００３５】
例示的な実施形態は、例えば、既存の（蛍光灯）安定器に接続するためのレトロフィットランプに用いられてもよい。特に、提案される実施形態は、好適な安定器適合性を提供し、絶縁された電源を補助装置に提供し（ランプの更なる最小化を可能にする）、ランプのサイズが最小化されることを可能にする。
【００３６】
図１及び図２は、蛍光灯安定器２及びランプ３から形成された、異なる照明装置１のブロック図を示す。
【００３７】
安定器２は、ハーフブリッジ並列共振コンバータを備え、電子（高周波、ＨＦ）安定器適合ランプ３を駆動する。ランプは、フィラメントエミュレーションユニット５及び管状ＬＥＤ（ＴＬＥＤ）装置６を備える。管状ＬＥＤ装置６は、整流器７と、ＬＥＤドライバ８と、ＬＥＤストリング９に配置された少なくとも１つのＬＥＤと、を備える。
【００３８】
変換回路１０は、フィラメントエミュレーションユニット５を管状ＬＥＤ装置６に接続する。特に、変換回路１０は、フィラメントエミュレーションユニット５に接続された入力部１１と、管状ＬＥＤ装置に接続された出力部１２と、を備える。
【００３９】
入力部１１は、第１の入力端子１１Ａ及び第２の入力端子１１Ｂを備える。出力部１２は、第１の出力端子１２Ａ及び第２の出力端子１２Ｂを備える。
【００４０】
ランプ３は、安定器２へのランプの接続に使用される４つの接続ピン４を備える。第１及び第２のピンは、ランプの一端に配置され、第３及び第４のピンは、ランプの他端に配置される。フィラメントエミュレーションユニット５は、第１及び第２のピンを変換回路の第１の入力端子１１Ａに接続すると共に、第３及び第４のピンを変換回路の第２の入力端子１１Ｂに接続する、第１の回路を備える。
【００４１】
変換回路１０は、安定器２から（フィラメントエミュレーションユニット５を介して）受信した第１の信号を管状ＬＥＤ装置６のための第２の信号に変換する。いくつかの実施形態では、フィラメントエミュレーションユニット５は省略され、その結果、変換回路１０が安定器２から直接信号を受信してもよい。そのような実施形態では、変換回路は、２つの端子のみを介して安定器に接続されてもよい。
【００４２】
図１のＬＥＤドライバ８は、バックコンバータであり、図２のＬＥＤドライバ８は、シャントスイッチである。
【００４３】
これらの構成ブロックのほとんどに関して、図１及び図２に示される実装が単なる例であり、それらの機能の他の実装が可能であり、使用もされることが理解されるであろう。
【００４４】
示される例では、変換回路１０は、整合回路からなる。ＨＦ安定器適合ランプの整合回路１０は、安定器の出力電力を低減するために使用される。特に、ランプ３の整合回路は、ＨＦ安定器２の最適インピーダンスと適切に一致する。
【００４５】
図１では、整合回路１０は、入力部１１と出力部１２との間に直列に接続されたインダクタＬＭＡＴと、入力部１１と出力部１２との間に並列に接続されたコンデンサＣＭＡＴと、を備える。これは通常、並列キャパシタンス／直列インダクタンス整合回路と表記される。適合性の理由から、そのような整合回路の場合、ＬＥＤドライバは、バックコンバータを備え得る。
【００４６】
図２では、整合回路１０は代わりに、入力部１１と出力部１２との間に直列に接続されたコンデンサＣＭＡＴと、入力部１１と出力部１２との間に並列に接続されたインダクタＬＭＡＴと、を備える。これは通常、並列インダクタンス／直列キャパシタンス整合回路と表記される。この整合回路との適合性を確保するために、ＬＥＤドライバ８は代わりに、シャントスイッチを備え得る。しかし、当業者は、整合回路の設計と使用されるＬＥＤドライバの種類との間に一定の関係がないことを理解するであろう。
【００４７】
一般に、整合回路１０は典型的に、入力部１１と出力部１２との間に直列又は並列のいずれかで接続されたインダクタ装置を備える。
【００４８】
整合回路内の直列接続要素は、ＬＥＤストリングへと流れる電流を妨げる。整合回路内の並列接続要素は、電流がＬＥＤストリングに到達せずにＨＦ安定器からランプに流れることを可能にする。ランプ３内の整合回路１０の存在は、安定器２のハーフブリッジ並列共振コンバータをより高次の共振コンバータに変える。
【００４９】
実施形態では、変換回路１０は代わりに又は更に、（例えば、ノイズフィルタリング用の）フィルタ、（バック、ブースト、又はバック−ブースト変換器などの）スイッチモード電源などを備えてもよい。概して、変換回路１０は、安定器から受信した第１の信号をランプのＴＬＥＤ装置のための第２の信号に変換するためにインダクタ装置の少なくとも１つのインダクタを備える。
【００５０】
それゆえ、第１の信号を第２の信号に変換することは、インピーダンス整合、フィルタリング、電力変換、電圧／電流調整などを含んでもよい。
【００５１】
ピン安全回路及び起動回路が、入力部１１と出力部１２との間に配置されてもよい。
【００５２】
ＴＬＥＤ装置を含むランプが典型的に、既存の管状ランプ（例えば、蛍光灯管）を代替するように設計されているため、ＴＬＥＤ装置を含むランプの体積は、制限される場合がある。特に、その外部寸法は、代替されるＴＬランプの寸法とほぼ同じであるべきである。その上、ＴＬＥＤ装置を含むランプの重量が、制限された重量を有する場合がある。これは、既存のライト取付具との適合性を理由とする。一例として、国際規格ＩＥＣ  ６２７７６「Ｄｏｕｂｌｅ−ｃａｐｐｅｄ  ＬＥＤ  ｌａｍｐｓ  ｄｅｓｉｇｎｅｄ  ｔｏ  ｒｅｔｒｏｆｉｔ  ｌｉｎｅａｒ  ｆｌｕｏｒｅｓｃｅｎｔ  ｌａｍｐｓ−Ｓａｆｅｔｙ  ｓｐｅｃｉｆｉｃａｔｉｏｎｓ」の第１．０版、２０１４−１２は、「ランプの全質量は、Ｇ５キャップ付きランプの場合２００ｇを超えてはならず、Ｇ１３キャップ付きランプの場合５００ｇを超えてはならない」と記載している。
【００５３】
これらの空間及び重量の制限により、（例えば、バッテリ、又は検知、通信、及び／若しくは制御などのサポートされた機能のための回路を含む）補助装置を、ランプの外部の追加区画内に配置し、ケーブルを使用してランプに接続することが有益となるであろう。
【００５４】
補助装置の回路は通常、電気的に安全な低電圧電子機器を使用して動作可能である。電気的に安全な低電圧は、ＵＬ  ６０９５０−１規格に準じて、６０ＶＤＣ又は４２．４ＶＡＣの上限と関連付けられてもよい。それゆえ、ユーザに対する危険な感電の可能性を下げるために、ランプとランプの外部の補助区画との間で電気的に安全な低電圧接続を確立することが望ましい。このことは、電気的に安全ないくつかの低電圧電子機器をランプの内部に必要とする。
【００５５】
一般に使用される安定器は、電源絶縁を備えていない。その結果、ＴＬ安定器に接続されたランプの内部に、感電を引き起こし得る活電部が存在することになる。ＴＬＥＤ装置を含む典型的なランプは、電源絶縁を備えていないため、そのようなランプの内部にある電子機器の全ては、電気的に安全でない高電圧電子機器とみなされなければならない。それゆえ、現在使用されているランプの内部にある電子機器とは、電気的に安全な低電圧接続を直接行うことはできない。
【００５６】
ランプ内の電源絶縁が専用の絶縁変圧器を使用して達成され得るが、これは、ランプの重量を大幅に増加させ、また利用可能な制限された空間のかなりの割合を占める。
【００５７】
本発明は、ランプ３の絶縁された補助装置に電力を供給するために変換回路１０のインダクタを充当することを提案する。特に、変換回路のインダクタ装置のインダクタが、変圧器の第１の巻線とみなされる。第２の巻線が、絶縁された電源を補助装置に提供するように第１の巻線に磁気的に結合される。
【００５８】
言い換えれば、変換回路のインダクタが、変圧器によって代替される。変圧器の漏れインダクタンスが、変換回路のための直列インダクタンスとして作用し得る。変圧器の磁化インダクタンスが、変換回路のための並列インダクタンスとして作用し得る。変圧器は、変換回路に必要なインダクタンスを提供するのに適切な特性（すなわち、漏れ／磁化インダクタンス）を有するように設計されてもよく、それにより、追加のインダクタを不要にする。
【００５９】
安定器２とＬＥＤストリング９との間の電圧調節が、ＬＥＤドライバ８によって行われてもよいことは明らかであろう。このようにして、変圧器は、（変圧器としては典型的であるような）そのような電圧調節に使用される必要がない。むしろ、本発明は、（ｉ）補助装置（及びオプションとして出力部）のガルバニック絶縁のためと、（ｉｉ）整合回路内のインダクタンスとしてとの両方に、変圧器を使用することを提案する。このようにして、インダクタンスが（例えば、変換回路内で）どうしても必要とされる場合、わずかな体積及び／又は重量のみが、ランプ３に加えられる。
【００６０】
図３は、ランプ３の関連における変換回路１０の第１の実施形態を示す。安定器は、理解しやすいように省略されている。
【００６１】
変換回路１０は、変換回路１０の入力部１１と出力部１２との間に接続されたインダクタ装置２０を備える。好ましくは、変換回路１０は、受動部品のみを備える。
【００６２】
インダクタ装置は、第１の巻線２１を形成する第１のインダクタ２１と、第１の巻線に磁気的に結合される第２の巻線２２と、を備える。このようにして、第１の巻線を流れる電流が、対応する電流を第２の巻線２２に誘導する。第１の巻線２１及び第２の巻線２２は、変圧器を共に形成する。第１の巻線２１及び第２の巻線２２は代わりに、それぞれ一次／主巻線及び二次／補助巻線と表記されてもよい。
【００６３】
変圧器２１、２２は、ランプ３の補助装置３０に接続するための絶縁された電源を提供する。特に、第２の巻線２２は、第１の巻線２１からガルバニック絶縁され、それによって安定器からガルバニック絶縁される。補助装置３０は、第１の巻線２１からガルバニック絶縁され、その結果として安定器からガルバニック絶縁されるように、第２の巻線２２から電力を引き出すように配置され得る。
【００６４】
第１の巻線２１は、入力部１１にて受信された第１の信号を、変換回路の出力部１２に供給される第２の信号に変換することに寄与する。つまり、変圧器は、既存の又は既知の変換回路１０のインダクタを変圧器によって代替することが可能となる特性を有するように設計される。特に、変圧器の漏れインダクタンスが、整合回路内の直列インダクタンスとして作用する。これは、図３の漏れインダクタ２３によって表される。それゆえ、図３に示されるような、漏れインダクタ２３及び変圧器２１、２２からなる回路は、実際の（非理想的な）変圧器２１、２２と等価な回路とみなされる。
【００６５】
当業者にとって周知であるように、理想的な変圧器は、Ｎｐ回の一次巻きを有する第１の巻線２１と、Ｎｓ回の二次巻きを有する第２の巻線２２と、を有する。そのような理想的な変圧器の第１の巻線と第２の巻線との間の関係は、周知の式によって支配される。
【数１】
2020523747.tif 000003
【００６６】
式（１）では、Ｖｐは、第１の巻線に印加される電圧を表し、ＶＳは、第２の巻線に印加される電圧を表す。理想的な変圧器の内部にはエネルギーが蓄積されないので、第１の巻線２１に流入する電力（瞬間エネルギー）は、第２の巻線２２から流出する電力に等しい。第１の巻線に流入する電流を表す電流Ｉｐと、第２の巻線に流入する電流を表す電流Ｉｓと、を用いると、以下の式が得られる。
【数２】
2020523747.tif 000004
【００６７】
しかし、そのような理想的な変圧器は典型的に、重く、嵩高であり、体積又は表面積が大きいので、そのような変圧器が、電圧／電流変換のために管状ランプで使用されることは稀である。実際に、前述のように、ＬＥＤドライバ８が、そのような変換を行うために使用されてもよい。
【００６８】
本発明の変換回路に使用される変圧器２１、２２は、変換回路のためのインダクタを代替すること、又はそのインダクタとして作用すること、並びにガルバニック絶縁をもたらすことが意図される。特に、変圧器は、入力部１１での第１の信号を出力部１２での第２の信号に変換するのを支援するための非理想的な特性（ここでは、漏れインダクタンス２３）を有するように設計される。
【００６９】
変圧器は、電圧変換に寄与する必要がないので、典型的な変圧器よりも軽く、体積が小さくてもよい。実際に、変換回路が、適正に／効率的に動作するためにインダクタンスを必要とする場合、インダクタのみではなく、変圧器２１、２２を使用する（及び漏れ／磁化インダクタンスを利用する）ことにより、わずかな体積及び／又は重量のみが、ランプ３に加えられる。
【００７０】
このようにして、変圧器２１、２２は、変換回路１０内のインダクタとして作用する。例えば、変圧器、特に漏れインダクタンスは、変換回路によるインピーダンス整合、（例えば、ＬＣ回路内又はＰＩフィルタ内の）変換回路によるフィルタリング、変換回路（例えば、バック−ブースト回路のエネルギー貯蔵インダクタ）による電源生成など、に寄与し得る。
【００７１】
変圧器２１、２２の特性は、変圧器からの漏れ及び／又は磁化インダクタンスが、入力部１１にて受信した信号を出力部１２にて供給される信号への所望の変換に寄与するように設計される。そのような特性を有する好適な変圧器が、後述される。
【００７２】
好ましくは、第１の巻線及び第２の巻線は、同じ巻き数を有し、その結果、第１の巻線２１にわたる電圧が第２の巻線２２にわたる誘導電圧と同じである。しかし、巻線の数は、変圧器２１、２２によって提供されるインダクタンスを変更するように変えられてもよい。
【００７３】
補助装置３０は、例えば、ランプコントローラ、補助電源、センサ、又はランプ用の通信モジュールを備えてもよい。前述のように、そのような補助装置を設けて、単なる照明機能を超える追加の機能をランプに提供することが有利であり得る。
【００７４】
言い換えれば、補助装置３０は、ランプのケーシングの外部に配置されてもよいが、いくつかの機能（特に、低電圧動作が可能な機能）をランプに提供するように適合されてもよい。このことは、例えば、既存のトロファ内、又は異なる管状ランプ（例えば、蛍光灯ランプ）によってこれまで占められていた隙間に嵌まるように、ランプのサイズを大幅に低減することを可能にする。このことは、既存のライト取付具又は装置にＬＥＤベースのランプを後付けする容易さを向上させる。
【００７５】
変換回路の機能を実行するのに好適な漏れインダクタンスを提供するために、第１の巻線２１及び第２の巻線２２は、典型的ではない又は不完全な変圧器を形成してもよい。つまり、変圧器２１、２２は、既知の変換回路のインダクタを置き換えるのに好適な漏れインダクタンスを提供するように特別に設計されてもよい。
【００７６】
変換回路は、入力部１１と出力部１２との間に接続されたコンデンサ装置２５も備えてもよい。ここで、コンデンサ装置は、入力部１１と出力部１２との間に並列に接続されるが、他の実施形態では、コンデンサ装置２５は、入力部１１と出力部１２との間に直列に接続されてもよい。
【００７７】
変圧器２１、２２を備えるインダクタ装置２０が、入力部１１と出力部１２との間に接続されることは明らかであろう。
【００７８】
図４は、変換回路１０の第１の実施形態のための好適な変圧器４０の断面を示す。特に、変圧器は、好適かつ正確な値の漏れインダクタンス（すなわち、実効漏れインダクタ２３）が提供され得ることを確実にする。変圧器は、電源（すなわち、安定器）絶縁及び実質的な漏れインダクタンスを提供する。
【００７９】
変圧器４０は、第１の巻線４１及び第２の巻線４２を備える。第１及び第２の巻線は、同じ中心軸の周りに配置され、第１の巻線は、第２の巻線の上方に（すなわち、垂直方向にオフセットして）配置される。第１及び第２の巻線の半径又は直径は、実質的に同じであってもよい。巻線は、コイルの形状を形成するボビン４３に取り付けられる。変圧器４０は、ボビン４３の間に配置されるとともにボビンを取り囲む軟磁性コア４４を更に備える。
【００８０】
変圧器４０の漏れインダクタンスは、第１の巻線の巻き数及び第２の巻線の巻き数と、第１の巻線と第２の巻線との間の距離を調節するなど、巻線の形状とによって制御することができる。
【００８１】
特に、巻き比（Ｎｐ／Ｎｓ）が一定である場合、漏れインダクタンスが、巻き数（すなわち、第１及び第２の巻線のいずれか又は第１及び第２の巻線の巻き数の合計）の自乗に比例する。漏れインダクタンスは、第１の巻線と第２の巻線との間の距離の増加に対して増加される。
【００８２】
図５は、本発明の第２の実施形態による変換回路１０を示す。変換回路１０は、前述のようにランプ３の関連で説明される。第２の実施形態は、第１の実施形態を変更したものを表し、両方の実施形態に共通の要素は、簡潔にするために繰り返されない。
【００８３】
変換回路１０は、入力部１１と出力部１２との間に接続されたインダクタ装置５０を備える。インダクタ装置は、第１の巻線５１を形成するインダクタ５１、及び第２の巻線５２を備える。第１の巻線５１及び第２の巻線５２は、変圧器５１、５２を共に形成する。
【００８４】
前と同じように、変圧器５１、５２は、絶縁された電源を補助装置３０に提供する。
【００８５】
変圧器５１、５２は、入力部１１にて受信された第１の信号を変換回路１０の出力部１２にて供給される第２の信号に所望に変換するのに寄与するインダクタンスを提供する。
【００８６】
しかし、第２の実施形態による変換回路１０では、第１の巻線５１及び第２の巻線５２によって形成された変圧器は、入力部１１と出力部１２との間に並列インダクタンスを提供する。並列誘導は、変圧器５１、５２の磁化インダクタンスを表す並列インダクタ５３によって表される。それゆえ、図５に示されるような、並列インダクタ５３及び変圧器５１、５２からなる回路は、実際の変圧器５１、５２と等価な回路とみなされる。
【００８７】
変圧器５１、５２は、変換回路の機能に寄与するように適切に設計される。例えば、変圧器５１、５２は、第１の巻線の磁化インダクタンス（すなわち、並列インダクタ５３によって表される）が、入力部にて受信された信号の（例えば、特定の周波数に関する）フィルタリングに寄与するように設計されてもよい。代わりに、並列インダクタ５３は、ランプ３のインピーダンス整合に寄与してもよい。
【００８８】
変換回路１０には、コンデンサ装置５５が更に設けられてもよい。ここで、コンデンサ装置５５は、入力部１１と出力部１２との間に直列に接続されるが、コンデンサは、そうではなくて入力部１１と出力部１２との間に並列に接続されてもよい。コンデンサ装置は、入力部１１での第１の信号を出力部１２での第２の信号に変換するのにも寄与する。
【００８９】
図６は、変換回路の第２の実施形態のために好適な変圧器６０の断面を示す。変圧器６０は、変換回路１０によって行われる変換に寄与するように、適当に大きな磁化電流を供給するように適合される。
【００９０】
変圧器６０は、互いに同心状をなす第１の巻線６１及び第２の巻線６２を備える。第１の巻線６１の直径は、第２の巻線６２の直径よりも大きいが、他の実施形態では、第１の巻線の直径は、第２の巻線の直径よりも小さくてもよい。
【００９１】
巻線６１、６２は、軟磁性コア６４によって囲まれたボビン６３の周りに配置される。軟磁性コア６４は、ボビンの直径方向で対向する２つの部分の間の隙間にも配置される。同心状に配置された第１の巻線６１及び第２の巻線６２は、絶縁層６５によって隔てられる。
【００９２】
間隔保持具６６が、ボビン６３上の第１の巻線６１を支持する。間隔保持具は、第１の巻線と第２の巻線との間の沿面距離を増加させる。沿面距離は、絶縁層の表面に沿って測定される、第１の巻線と第２の巻線との間の最短距離である。それゆえ、間隔保持具は、製品の安全性を向上させ、変圧器が適切な規格に適合することを確実にし得る。
【００９３】
空隙６７が、第１及び第２の巻線の直径方向で対向する２つの部分の間に配置される。つまり、空隙６７が、軟磁性コア６４内に形成され、ボビン６３の直径方向で対向する面の間及び第１の巻線６１と第２の巻線６２との間に広がる。
【００９４】
変圧器６０は、安定的な磁化インダクタンスを提供し、磁化インダクタンスは、巻線を流れる電流の大きさに大幅に依存しない。このことは、軟磁性コア６４の中心脚部に配置された空隙６７による。空隙の高さ又はサイズは、変圧器６０によって提供される磁化インダクタンスを規定する。
【００９５】
磁化インダクタンスは、小さな空隙６７の場合に大きく、大きな空隙６７の場合に小さい。それゆえ、小さな空隙及び少ない巻き数を使用して、所望の磁化インダクタンスを実現することが魅力的に思える。しかし、空隙を小さくすることは、コア内の磁束密度の増加に関連付けられる。それゆえ、コアの飽和又はコアの過剰な損失を回避するために、空隙の最小サイズを制限することが好ましい場合がある。
【００９６】
これにより、この変圧器６０は、十分に制御された正確な磁化インダクタンスを有する電源絶縁をもたらす。
【００９７】
代替的な又は更なる実施形態の変圧器では、空隙６７よりもむしろ又はそれに加えて、変圧器の磁化インダクタンスの制御が、軟磁性粉末コアの使用によってもたらされてもよい。軟磁性粉末コアは、比較的低い透磁性を有するが、その磁化特性は、例えば焼結フェライトなどの磁化特性よりもはるかに線形的である。
【００９８】
空隙を有するコアは通常、蛍光灯ランプの安定器に使用される周波数で動作する場合には、焼結フェライトから作製される。個別の空隙６７の代わりに又はそれに加えて、（磁化インダクタンスの制御を要求する）変圧器のためのコアが、金属粉末コアなどの低い透磁性を有する軟磁性材料から形成されてもよい。そのような材料の使用は、「分散された空隙」の使用とみなされ得る。
【００９９】
前述の場合と同様に、巻き比Ｎｐ／Ｎｓが一定である場合、磁化インダクタンスは、巻き数（すなわち、第１及び第２の巻線のいずれか又は第１及び第２の巻線の巻き数の合計）の自乗に比例する。
【０１００】
図７は、変換回路の一実施形態のための別の変圧器７０の断面を示しており、この変圧器では、漏れ（すなわち、直列）インダクタンスと磁化（すなわち、並列）インダクタンスとの両方が所望される。
【０１０１】
変圧器７０は、図５を参照して説明された変圧器と同様である。特に、変圧器は、共有される中心軸の周りに上下に配置された第１の巻線７１及び第２の巻線７２を備える。軟磁性コア７４が、巻線／ボビンの直径方向で対向する面の周り及びそれらの間に配置される。
【０１０２】
変圧器７０の漏れインダクタンスは、第１の巻線の巻き数及び第２の巻線の巻き数、並びに巻線の形状によって制御することができる。
【０１０３】
変圧器７０の磁化インダクタンスの制御も可能にするために、空隙７７が、巻線７１、７２の直径方向で対向する部分の間に設けられてもよい。空隙７７のサイズ及び／又は高さを変化させることは、変圧器７０の磁化インダクタンスの大きさを変化させる。
【０１０４】
概して、インダクタンス及びガルバニック絶縁材として同時に作用するために、エネルギーが変圧器内に蓄積されるべきである。この説明は、このための少なくとも３つの実施形態、つまり、（ｉ）軟磁性コア内に空隙を導入して（図６及び図７に示される）、磁化インダクタンスを生じさせること、（ｉｉ）巻線領域において第１の巻線と第２の巻線との間の距離を増加させて（図４及び図７に示される）、漏れインダクタンスを生じさせること、並びに、（ｉｉｉ）低い透磁性を有する軟磁性材料からコアを形成して、磁化インダクタンスを減少させること、を提示してきた。磁性コアの透磁性を低減することは、個別の空隙のサイズを増加させることに対応する。
【０１０５】
漏れインダクタンスは、（すなわち、図４及び図７に示されるように）第１の巻線と第２の巻線との間の距離が大きい場合に大きく、（図６に示されるように）第１の巻線と第２の巻線との間の距離が小さい場合に小さいことに留意されたい。図８は、本発明の第３の実施形態による変換回路を示す。変換回路１０は、ランプ３の関連で示されており、前の実施形態と同一又は同様のランプの要素は、簡潔にするために説明されない。
【０１０６】
変換回路１０は、（例えば、既知の実施形態による）整合回路のインダクタ８１の１つに磁気的に結合される第２の巻線８２を提供する。これにより、第２の巻線は、磁気結合されたインダクタ８１から（例えば、ランプの外部の）補助装置に電力を引き込み得る。
【０１０７】
それゆえ、整合回路１０は、第１の巻線８１を形成する少なくとも１つのインダクタ８１で形成されたインダクタ装置８０を備えてもよい。第１の巻線８１は、変換回路１０によって行われる変換（例えば、フィルタリング、インピーダンス整合）に寄与する。第２の巻線８２は、第１の巻線８１に磁気的に結合される。補助装置（図示せず）は、第２の巻線から電力を引き出し、その結果、補助装置が、第１の巻線からガルバニック絶縁され、それによってランプ３と安定器２の両方からガルバニック絶縁される。
【０１０８】
第１の巻線８１又はインダクタは、変換回路１０の入力部１１と出力部１２との間に直列に接続される。特に、第１の巻線は、入力部１１の第１の端子１１Ａと出力部１２の第１の端子１２Ａとの間に接続される。他の実施形態では、第１の巻線は、入力部１１の第２の端子１１Ｂと出力部１２の第２の端子１２Ｂとの間に接続されてもよい。
【０１０９】
前と同じように、変換回路１０は、第１の信号を第２の信号に変換するのに寄与するように適合された、少なくとも１つのコンデンサを備えるコンデンサ装置８３も備えてもよい。コンデンサ装置８３は、変換回路１０の入力部１１と出力部１２との間に並列構成で接続されてもよく、又は直列構成で接続されてもよい。
【０１１０】
第２の巻線８２からの破線が、第２の巻線８２から補助装置（図示せず）への接続を示す。
【０１１１】
第１の巻線８１及び第２の巻線８２は、変圧器を共に形成してもよい。変圧器は、特に図４、図６及び図７を参照して前述された任意の変圧器として具現化されてもよい。
【０１１２】
概念的に理解するために、第１の巻線８１及び第２の巻線８２は、理想的な変圧器を形成しないとみなされてもよい。むしろ、第２の巻線８２は、第１の巻線により形成されたインダクタからわずかなエネルギーを取り出す。それゆえ、第２の巻線８２は、補助装置のみに通電する。
【０１１３】
第２の巻線８２は、管状ＬＥＤ装置６にガルバニック接続されず、その結果、第２の巻線（及びそれによって補助装置）は、管状ＬＥＤ装置６と安定器２の両方からガルバニック絶縁される。このようにして、第２の巻線は、変換回路の入力部１１及び出力部１２からガルバニック絶縁されてもよい。
【０１１４】
このことは、場合によっては電気的に安全でない高電圧での管状ＬＥＤ装置の動作を可能にしながらも、補助装置の絶縁を向上させる。このことは、補助装置及び／又は管状ＬＥＤ装置の適応性及びカスタマイズ性を増大させ得る。
【０１１５】
図９は、本発明の第４の実施形態による変換回路１０を示す。本発明の第４の実施形態は、図８を参照して説明された第３の実施形態をわずかに修正したものである。
【０１１６】
特に、インダクタ装置９０は、入力部１１と出力部１２との間に並列に接続され、その結果、（第１の巻線を形成する）インダクタ９１は、入力部１１と出力部１２との間に並列に接続される。このことは、並列インダクタンスを提供する。
【０１１７】
特に、第１の巻線９１は、入力部１１と出力部１２との間に並列配置で接続されるように、入力部１１の第１の端子１１Ａと入力部１１の第２の端子１１Ｂとの間に接続される。代替的な実施形態では、第１の巻線９１は、出力部１２の第１の端子１２Ａと出力部１２の第２の端子１２Ｂとの間に接続されてもよい。
【０１１８】
変換回路は、変換回路の入力部１１と出力部１２との間に接続されたコンデンサ装置９３も備えてもよい。コンデンサ装置９３は、入力部１１と出力部１２との間に直列に接続される。しかし、代替的な実施形態では、コンデンサ装置９３は、入力部と出力部との間に並列に接続されてもよい。
【０１１９】
図８及び図９に示される変換回路１０は、漏れインダクタンスではなく、変圧器の磁化インダクタンスを利用することが好ましい。変換回路を設計するときに、インダクタ８１、９１（すなわち、第１の巻線）は、例えば、フィルタリング又はインピーダンス整合の要件など、変換回路１０の要件に従って設計される。そして、このインダクタ８１、９１のインダクタンスは、変圧器の磁化インダクタンスと等しくなる。
【０１２０】
巻き数の少ない第２の巻線８２、９２が、漏れインダクタンスを最小限にするため（それが必要とされないため）に、好ましくは図６に示される設計を使用して、その後に追加される。このことは、変圧器８１、８２又は９１、９２を形成する。
【０１２１】
第１の巻線８１、９１に流入する電流の大部分は、インダクタとして作用する磁化インダクタンスを通って流れる。電流のわずかな部分のみが、第２の（補助）巻線によって補助装置に流れる。この電流の大きさは、補助装置の入力抵抗によって制御することができる。
【０１２２】
それゆえ、提案される第３及び第４の実施形態は、既存のインダクタを変圧器で代替し、信号の変換に使用するために変圧器の漏れ／磁化インダクタンスの存在を利用するか、又は既存のインダクタを変圧器の巻線として充当するかのいずれかである。特に、形成された変圧器は、補助装置用の絶縁された電源を提供する。それゆえ、補助装置及び第２の巻線は、安定器２と管状ＬＥＤ装置６の両方からガルバニック絶縁される。
【０１２３】
好ましくは、補助装置は、ランプ用の予備電源を形成する（例えば、電池又はコンデンサを備える）エネルギー蓄積装置である。そのようなエネルギー蓄積装置は、第１及び第２の巻線で形成された変圧器によって提供される絶縁された電源から充電されてもよい。
【０１２４】
補助装置によるエネルギー蓄積は、緊急用の照明機能、及び負荷シフトなどグリッド関連の電気エネルギー蓄積機能などの目的で使用されてもよい。その上、電池内のエネルギー蓄積を使用することは、（安定器によって）提供される電源の電力補正を可能にする。このことは、安定器とランプとの間の適合性の向上、安定器及びランプを備える照明装置の全体的な効率の増加、並びにランプの調光及び待機動作の向上を可能にする。
【０１２５】
エネルギー蓄積装置は、例えば、双方向コンバータを介して、ランプに電力を放出してもよい。いくつかの実施形態では、電力は、第１の巻線に電流を誘導する第２の巻線によって放電される。実施形態では、第２の巻線に接続された回路（すなわち、補助装置）が、第２の巻線を交流で駆動し、それによって第１の巻線に電流を誘導してもよい。それゆえ、第１の巻線は、第２の巻線から電力を受け取ってもよい。
【０１２６】
実施形態は、変換回路がランプ用の整合回路を形成する場合に特に有利である。これは、整合回路が典型的に、安定器に必要なインピーダンスと正確に整合するための誘導インピーダンスを必要とするためである。本発明によって提案されるように、インダクタを変圧器で置き換えし、変圧器の漏れ特性（例えば、漏れ／磁化インダクタンス）を利用することにより、二重変圧器インダクタが提供されてもよい。つまり、変圧器は、絶縁電源と整合回路用のインダクタの両方として作用する。このことは、変圧器によって占められる空間を最小限にしながら、絶縁された電源が（例えば、補助装置に）提供されることを可能にする。
【０１２７】
整合回路は、ランプがより広範囲の安定器と適合することを可能にし、ランプの最小化されたサイズが、既存のトロファ又はランプを受容するための他の隙間にランプが嵌まることを可能にする。そのようなトロファ／隙間は、蛍光灯管のために予め設計されていてもよく、それゆえ、制限されたサイズ及び／又は重量の制限を有してもよい。
【０１２８】
いくつかの実施形態では、前述されたような変換回路を蛍光灯安定器と管状ＬＥＤ装置との間に設置するステップを含む方法が提案される。
【０１２９】
図１０に示されるように、ランプの補助装置用の電源を提供するための方法１００も提案される。方法１００は、蛍光灯安定器からの第１の信号をランプの管状ＬＥＤ装置のための第２の信号に変換するためのものでもあり、管状ＬＥＤ装置は、光を出力するように適合される。方法は、蛍光灯安定器からの第１の信号を入力部にて受信するステップ１０１を含む。方法は、入力部と出力部との間に接続された少なくともインダクタ装置を使用して第１の信号を第２の信号に変換するステップ１０２を更に含み、インダクタ装置は、第１の巻線と、第１の巻線に磁気的に結合される第２の巻線とで形成される。方法は、第２の信号を管状ＬＥＤ装置に出力部にて出力するステップ１０３と、ランプの補助装置用の絶縁された電源を提供するステップ１０４と、も含む。第１及び第２の巻線は、絶縁された電源を提供するための変圧器を共に形成し、変圧器の漏れインダクタンス又は磁化インダクタンスの少なくとも一方が、第１の信号を第２の信号への所望の変換に寄与する。
【０１３０】
第１の信号を第２の信号に変換するステップ１０２及び第２の信号を出力するステップ１０３は、絶縁された電源を提供するステップ１０４と並行して生じてもよい。つまり、絶縁された電源は、変換回路が第１の信号の変換及び第２の信号の供給を行っている間に補助装置に提供されてもよい。実際に、第１の信号の変換及び第２の信号の供給が、（これらのステップが、第１の巻線に電流を流し、それによって、磁気的に結合された第２の巻線に電流を流し得るため）絶縁された電源を提供するステップを引き起こし得ることは、前述のことから明らかであろう。
【０１３１】
図面、本開示、及び添付の請求項の検討によって、開示される実施形態に対する他の変形形態が、当業者により理解されることができ、また、特許請求される発明を実施する際に実行されることができる。請求項では、単語「備える（comprising）」は、他の要素又はステップを排除するものではなく、不定冠詞「１つの（a）」又は「１つの（an）」は、複数を排除するものではない。特定の手段が、互いに異なる従属請求項内に列挙されているという単なる事実は、これらの手段の組み合わせが、有利に使用され得ないことを示すものではない。請求項中のいかなる参照符号も、範囲を限定するものとして解釈されるべきではない。
【図１】
2020523747.tif 000005
【図２】
2020523747.tif 000006
【図３】
2020523747.tif 000007
【図４】
2020523747.tif 000008
【図５】
2020523747.tif 000009
【図６】
2020523747.tif 000010
【図７】
2020523747.tif 000011
【図８】
2020523747.tif 000012
【図９】
2020523747.tif 000013
【図１０】
2020523747.tif 000014
【国際調査報告】
2020523747.tif 000015
2020523747.tif 000016
2020523747.tif 000017